(57)【特許請求の範囲】
【請求項１】
個人情報を含んだ画像を表示する基材と、
前記基材に支持された画像表示体であって、
金属層を実質的に含んでおらず且つ構造色を呈する第１層と、
前記第１層の一部のみと向き合い且つ金属層を含んだ第１部分と、前記第１層の他の一部と向き合い且つ前記第１部分と比較して可視光透過率がより高い第２部分とを備えた第２層と、
前記第１層を間に挟んで前記第２層と向き合っているか又は前記第２層を間に挟んで前記第１層と向き合っており、且つ、前記第１部分と向き合い且つ樹脂を含んだ第３部分と、前記第２部分と向き合い且つ前記第３部分と比較して可視光吸収率がより高い第４部分とを備えた第３層と、を具備した前記画像表示体と、
を備え、
前記画像表示体が表示する画像は第１個人情報を含み、前記基材が表示する画像は第２個人情報を含み、前記第１及び第２個人情報は同一人物の情報である
情報媒体。
【請求項２】
前記画像表示体にて、前記第２部分の前記画像表示体の主面への正射影は、前記第４部分の前記主面への正射影に一致している請求項１に記載の情報媒体。
【請求項３】
前記画像表示体にて、前記第２部分は、金属層を含んでいないか、又は、前記第１部分が含んでいる金属層と比較して膜厚がより小さい金属層を含んでいる請求項１又は２に記載の情報媒体。
【請求項４】
前記画像表示体にて、前記第２部分は粒子状の金属を含んでいる請求項１乃至３の何れか１項に記載の情報媒体。
【請求項５】
前記画像表示体にて、前記第２層は、金属層を含んだ層の一部のみにエネルギービームを照射して、前記照射された部分において前記金属層を破壊することにより得られる請求項１乃至４の何れか１項に記載の情報媒体。
【請求項６】
前記画像表示体にて、前記第３部分は透明である請求項１乃至５の何れか１項に記載の情報媒体。
【請求項７】
前記画像表示体にて、前記樹脂はエネルギービームの照射によって可視光吸収率が増大するように構成されており、前記第４部分は、前記樹脂に前記エネルギービームを照射することにより得られる物質を含んでいる請求項１乃至６の何れか１項に記載の情報媒体。
【請求項８】
前記画像表示体にて、前記第１層は、コレステリック液晶、パール顔料及び多層干渉膜の少なくとも１つを含んでいる請求項１乃至７の何れか１項に記載の情報媒体。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
他方、偽造が困難な像を記録する方法として、レーザ照射を用いる方法が開発されている。例えば、特許文献４には、部分反射性の層を含んだ積層体に短波長レーザを照射して、部分反射性の層を少なくとも部分的に除去することにより、所望の記号を形成することが記載されている（請求項６）。
【０００９】
また、特許文献５には、「透明性基材、前記透明性基材の背面に積層された透明樹脂層からなり背面にホログラムの微細凹凸を有するホログラム形成層、および前記ホログラム形成層の前記微細凹凸に沿って積層された反射性金属層とからなる反射型ホログラム複合体、色彩可変層、並びに着色層とからなり、前記反射性金属層は前記反射性金属層の有無で構成されたパターンを有しており、前記色彩可変層は前記反射型ホログラム複合体と積層されて積層体を形成しており、前記積層体の背面に前記着色層が積層されていることを特徴とする真正性識別体」が記載されている（請求項１）。また、特許文献５には、反射性金属層の有無で構成された上記パターンを、レーザ光等を利用して形成することも記載されている（段落０００９）。
【先行技術文献】
【特許文献】
【００１０】
【特許文献１】特開２０００−１４１８６３号公報
【特許文献２】特開２００２−２２６７４０号公報
【特許文献３】特開２００３−１７０６８５号公報
【特許文献４】特表２００２−５２２２６３号公報
【特許文献５】特開２００６−１４５６８８号公報
【発明の概要】
【発明が解決しようとする課題】
【００１１】
本発明の目的は、改竄が困難であり且つ視認性が高い像を表示可能とする技術を提供することにある。
【課題を解決するための手段】
【００１２】
本発明の第１側面によると、個人情報を含んだ画像を表示する基材と、前記基材に支持された画像表示体であって、金属層を実質的に含んでおらず且つ構造色を呈する第１層と、前記第１層の一部のみと向き合い且つ金属層を含んだ第１部分と、前記第１層の他の一部と向き合い且つ前記第１部分と比較して可視光透過率がより高い第２部分とを備えた第２層と、前記第１層を間に挟んで前記第２層と向き合っているか又は前記第２層を間に挟んで前記第１層と向き合っており、且つ、前記第１部分と向き合い且つ樹脂を含んだ第３部分と、前記第２部分と向き合い且つ前記第３部分と比較して可視光吸収率がより高い第４部分とを備えた第３層とを具備した前記画像表示体と、を備え、前記画像表示体が表示する画像は第１個人情報を含み、前記基材が表示する画像は第２個人情報を含み、前記第１及び第２個人情報は同一人物の情報である情報媒体が提供される。
【発明の効果】
【００１６】
本発明によると、改竄が困難であり且つ視認性が高い像を表示することが可能となる。
【図面の簡単な説明】
【００１７】
【図１】本発明の一態様に係る情報媒体を概略的に示す平面図。
【図２】本発明の一態様に係る画像表示体を概略的に示す平面図。
【図３】図２に示す画像表示体のＩＩＩ−ＩＩＩ線に沿った断面図。
【図４】一変形例に係る画像表示体を概略的に示す断面図。
【図５】他の変形例に係る画像表示体を概略的に示す断面図。
【図６】他の変形例に係る画像表示体を概略的に示す断面図。
【図７】本発明の一態様に係る画像表示体の製造に利用可能なブランク媒体の一例を概略的に示す断面図。
【図８】本発明の一態様に係る画像表示体の製造方法の一例を概略的に示す断面図。
【図９】本発明の他の態様に係る情報媒体を概略的に示す平面図。
【図１０】本発明の他の態様に係る情報媒体を概略的に示す斜視図。
【発明を実施するための形態】
【００１８】
以下、本発明の態様について、図面を参照しながら詳細に説明する。なお、同様又は類似した機能を発揮する構成要素には全ての図面を通じて同一の参照符号を付し、重複する説明は省略する。
【００１９】
図１は、本発明の一態様に係る情報媒体を概略的に示す平面図である。  
図１に示す情報媒体１００は、個人認証媒体であり、パスポートなどの冊子体である。図１には、開いた状態の冊子体を描いている。
【００２０】
この情報媒体１００は、折り丁１と表紙２とを含んでいる。  
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００２１】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００２２】
表紙２は、個人情報を含んだ画像を表示する。この個人情報は、個人の認証に利用する個人認証情報を含んでいる。この個人情報は、例えば、生体情報と非生体個人情報とに分類することができる。
【００２３】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００２４】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００２５】
図１において、表紙２は、画像Ｉ１ａ、Ｉ１ｂ、Ｉ２及びＩ３を表示している。  
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００２６】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００２７】
画像Ｉ１ｂは、後述する情報媒体が表示する画像である。
【００２８】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００２９】
画像Ｉ１ｂは、生体情報の代わりに非生体個人情報を含んでいてもよく、生体情報に加
えて非生体個人情報を更に含んでいてもよい。また、画像Ｉ１ｂは、個人情報の代わりに非個人情報を含んでいてもよく、個人情報に加えて非個人情報を更に含んでいてもよい。
【００３０】
画像Ｉ２は、非生体個人情報と非個人情報とを含んでいる。画像Ｉ２は、例えば、文字、記号、符号及び標章の１つ以上を構成している。
【００３１】
画像Ｉ３は、地紋である。例えば、画像Ｉ３と画像Ｉ１ａ及びＩ１ｂの少なくとも一方とを組み合わせると、情報媒体１００の改竄をより困難にすることができる。
【００３２】
情報媒体１００のうち画像Ｉ１ｂに対応した部分は、以下に説明する画像表示体２００を含んでいる。
【００３３】
図２は、本発明の一態様に係る画像表示体を概略的に示す平面図である。図３は、図２に示す画像表示体のＩＩＩ−ＩＩＩ線に沿った断面図である。図２及び図３では、画像表示体２００の主面に平行であり且つ互いに直交する方向をＸ方向及びＹ方向とし、上記主面に垂直な方向をＺ方向としている。また、図２及び図３では、画像表示体２００のうち後述する第１部分Ｐ１と第３部分Ｐ３とが向き合っている部分を表示部ＤＰ１とし、後述する第２部分Ｐ２と第４部分Ｐ４とが向き合っている部分を表示部ＤＰ２としている。
【００３４】
まず、図２及び図３に示す画像表示体２００の構成について説明する。  
図２及び図３に示す画像表示体２００は、第１層２０１と、第２層２０２と、第３層２０３とを備えている。図３には、一例として、第２層２０２が第１層２０１に対して前面側に位置し、第３層２０３が第１層２０１に対して背面側に位置している場合を描いている。
【００３５】
第１層２０１は、金属層を実質的に含んでおらず且つ構造色を呈する層である。第１層２０１は、典型的には、コレステリック液晶、パール顔料及び多層干渉膜の少なくとも１つを含んでいる。
【００３６】
第１層２０１がコレステリック液晶を含んでいる場合、第１層２０１は、例えば、コレステリック構造を有する化合物を含んだ材料、又は、ネマチック液晶にカイラル剤を添加してコレステリック構造を持たせたものを含んだ材料を用いて製造することができる。コレステリック液晶は、例えば、ネマチック液晶に添加するカイラル剤の量及び種類などを変化させることにより、そのヘリカルピッチ及び偏光面の捩じれ方向を変化させることが可能である。また、液晶分子の両末端に、アクリル基などの重合基を導入することもできる。こうすると、各液晶分子を配向させた後に、その配向を固定することが容易となる。
【００３７】
第１層２０１がコレステリック液晶を含んでいる場合、第１層２０１は、コレステリック液晶からなる層であってもよく、コレステリック液晶顔料を含んだ層であってもよい。
【００３８】
第１層２０１がコレステリック液晶からなる層である場合、第１層２０１における光の散乱を、最小限に抑えることが可能となる。
【００３９】
第１層２０１がコレステリック液晶顔料を含んだ層である場合、第１層２０１は、典型的には、コレステリック液晶の粉末と、透明なバインダとを含んでいる。この場合、例えば、ヘリカルピッチ及び偏光面の捩じれ方向などが互いに異なった複数のコレステリック液晶顔料を用いることにより、第１層２０１の光学特性を微調整することが可能となる。
【００４０】
第１層２０１がコレステリック液晶を含んでいる場合、第１層２０１を照明すると、第１層２０１は、円偏光性の選択反射光を射出し得る。
【００４１】
コレステリック液晶を含んだ第１層２０１は、例えば、以下のようにして形成する。
【００４２】
第１の方法では、まず、ポリエチレンテレフタレート、ポリプロピレン、ナイロン、セロハン及びポリビニルアルコールなどの延伸フィルムを準備する。この延伸フィルムには、ラビング処理を施してもよい。次に、コレステリック液晶の原料を有機溶剤に溶解させた塗工液を準備する。次いで、この塗工液を、上記の延伸フィルム上に塗布する。その後、得られた塗膜を乾燥させる。これにより、延伸フィルム上で、液晶分子を配向させる。そして、この状態で紫外線などのエネルギー線を照射して、液晶分子の配向を固定する。このようにして、コレステリック液晶形成フィルムを得る。
【００４３】
次に、被転写体、例えば基材の一方の主面に、光透過性を有した接着剤を塗布する。そして、その上に、コレステリック液晶形成フィルムを貼り合わせる。次いで、延伸フィルムのみを剥がす。このようにして、被転写体、例えば基材の一方の主面上に、コレステリック液晶を含んだ第１層２０１を形成する。
【００４４】
第２の方法では、まず、第１層２０１を形成すべき主面、例えば基材の一方の主面上に、光配向インキを塗布する。その後、その塗膜を乾燥させ、偏光性の紫外光を照射して、配向膜を形成する。次いで、コレステリック液晶の原料を有機溶剤に溶解させた塗工液を準備し、この塗工液を、上記の配向膜上に塗布する。その後、得られた塗膜を乾燥させ、液晶分子を配向させる。そして、この状態で紫外線などのエネルギー線を照射して、液晶分子の配向を固定する。このようにして、コレステリック液晶を含んだ第１層２０１を得る。なお、この場合、第１層２０１を形成すべき主面と光配向インキからなる配向膜との接着性が不十分である場合には、アンカー層を更に設けてもよい。
【００４５】
なお、上では、配向膜を用いて液晶分子を配向させる方法について説明したが、液晶分子を配向させる方法は、これには限られない。例えば、液晶分子は、電場及び／又は磁場の印加又はせん断応力の印加によって配向させてもよい。
【００４６】
また、上では、紫外線の照射によって液晶分子の配向を固定する方法について説明したが、液晶分子の配向を固定する方法は、これには限られない。例えば、液晶分子の配向は、液晶分子を含んだ層を急冷させることによって固定してもよい。これらの方法のうち、紫外線の照射によって液晶分子の配向を固定する方法がより好ましい。
【００４７】
画像表示体２００の製造コストの観点から、上記の第１及び第２の方法のうち、典型的には、第１の方法を採用する。
【００４８】
なお、コレステリック液晶の原料としては、例えば、エネルギー線硬化性の化合物を用いる。この化合物は、典型的には、分子中に２個以上のエネルギー線硬化性基を備えている。このような化合物としては、例えば、トリメチロールプロパントリアクリレート、１，６−ヘキサンジオールジアクリレート、ペンタエリスリトールテトラアクリレート、ペンタエリスリトールトリアクリレート及びジペンタエリスリトールヘキサアクリレートなどの多官能性単量体、並びに、ポリウレタンアクリレート、エポキシ樹脂系ポリアクリレート及びアクリルポリオールポリアクリレートなどの多官能性オリゴマーが挙げられる。
【００４９】
単官能性の単量体としては、例えば、アルキル（Ｃ１〜Ｃ１８）（メタ）アクリレート、ベンジル（メタ）アクリレート、シクロヘキシル（メタ）アクリレート、アルキレン（Ｃ２〜Ｃ４）グリコール（メタ）アクリレート、アルコキシ（Ｃ１〜Ｃ１０）アルキル（Ｃ２〜Ｃ４）（メタ）アクリレート、ポリアルキレン（Ｃ２〜Ｃ４）グリコール（メタ）アクリレート、及びアルコキシ（Ｃ２〜Ｃ１０）ポリアルキレン（Ｃ２〜Ｃ４）グリコール（メタ）アクリレートが挙げられる。
【００５０】
カチオン系の光重合性単量体としては、例えば、芳香族エポキシ化合物、脂環式エポキシ化合物、及びグリシジルエステル系化合物が挙げられる。また、コレステリック液晶の原料として、３次元架橋性液晶ポリオルガノシロキサンを用いてもよい。
【００５１】
エネルギー線硬化性の化合物を硬化する際に用いる重合開始剤としては、例えば、ラジカル系又はカチオン系の重合開始剤を用いる。
【００５２】
ラジカル系重合開始剤としては、例えば、α−ヒドロキシアセトフェノン系及びα−アミノアセトフェノン系などのアセトフェノン系、ベンゾインエーテル系、ベンジルケタール系、α−ジカルボニル系、並びに、α−アシルオキシムエステル系のものが挙げられる。より具体的には、例えば、α−アミノアセトフェノン、アセトフェノンジエチルケタール、ベンジルジメチルケタール、α−ヒドロキシシクロヘキシルフェニルケトン、２−ヒドロキシ−２−メチルフェニルプロパノン、ベンゾフェノン、ミヒラーズケトン及びイソプロピルチオキサントンが挙げられる。また、これら重合開始剤の２以上を併用してもよい。例えば、ベンゾフェノンとＮ−メチルジエタノールアミンとを併用してもよい。
【００５３】
カチオン系重合開始剤としては、公知の化合物を制限無く使用することができる。このような重合開始剤としては、例えば、アリルヨードニウム塩−α−ヒドリキシアセトフェノン系、及びトリアリルスルホニウム塩系のものが挙げられる。カチオン系重合開始剤は、増感剤及び／又は過酸化物と併用してもよい。この場合、例えば、メタロセン化合物−パーオキサイド併用系、メタロセン化合物−チオキサントン併用系、又はメタロセン化合物−アントラセン併用系を採用することができる。
【００５４】
第１層２０１がパール顔料を含んでいる場合、第１層２０１は、例えば、雲母などの層状物質の粉末を含んでいる。或いは、この場合、第１層２０１は、後述する多層干渉膜を粉砕してなる粉末を用いてもよい。第１層２０１がパール顔料を含んでいる場合、第１層２０１は、典型的には、透明なバインダを更に含んでいる。
【００５５】
第１層２０１がパール顔料を含んでいる場合、第１層２０１は、典型的には、印刷法又は塗布法により形成する。これら印刷法又は塗布法としては、公知の方法を採用することができる。
【００５６】
第１層２０１が含み得る多層干渉膜は、屈折率が互いに異なった複数の層が積層されてなる。多層干渉膜を構成する各層は、例えば、セラミクス薄膜又は有機ポリマー薄膜である。多層干渉膜は、例えば、屈折率が互いに異なった層の交互積層体を含んでいる。例えば、セラミクス薄膜と、有機ポリマー薄膜とを、所定の厚みで交互に積層させることにより、特定波長の可視光のみを吸収又は反射する多層干渉膜が得られる。多層干渉膜の積層数は、例えば、２乃至９の範囲内とする。
【００５７】
第１層２０１が多層干渉膜を含んでいる場合、第１層２０１は、膜厚、成膜速度、積層数及び光学膜厚などの制御が可能な公知の方法を用いて形成する。このような方法としては、例えば、真空蒸着法、スパッタリング法及び化学気相堆積法（ＣＶＤ法）が挙げられる。なお、光学膜厚とは、屈折率と膜厚との積である。
【００５８】
或いは、上記の多層干渉膜は、多層同時押し出しにより形成された多層フィルムであってもよい。この多層フィルムは、屈折率が互いに異なった複数のプラスチック薄膜の交互積層体である。これらプラスチック薄膜の各々は、プラスチック材料を含んでいる。これらプラスチック薄膜の各々は、必要に応じて、助剤を含んでいてもよい。
【００５９】
この多層フィルムは、例えば、高屈折率材料からなるプラスチック薄膜と、低屈折率材料からなるプラスチック薄膜との交互積層体を含んでいる。高屈折率材料としては、例えば、ポリエチレンナフタレート（１．６３）、ポリカーボネート（１．５９）、ポリスチレン（１．５９）、及びポリエチレンテレフタレート（１．５８）が挙げられる。低屈折率材料としては、例えば、ナイロン（１．５３）、ポリメチルメタクリレート（１．４９）、ポリメチルペンテン（１．４６）、及びフッ素系ポリメチルメタクリレート（１．４）が挙げられる。
【００６０】
第２層２０２は、第１部分Ｐ１と第２部分Ｐ２とを備えている。  
第１部分Ｐ１は、第１層２０１の一部のみと向き合っている。第１部分Ｐ１は、金属層を含んでいる。図３には、一例として、第１部分Ｐ１が金属層のみからなる鏡面を構成している場合を描いている。即ち、図２及び図３に示す画像表示体２００では、第１部分Ｐ１は、光反射性を有している。
【００６１】
第１部分Ｐ１が含んでいる金属層は、例えば、金属の単体、合金、金属酸化物、又は金属硫化物を含んでいる。この金属層が含んでいる金属又は合金としては、例えば、アルミニウム、金、銅、銀、ニッケル、イノセル（登録商標）、ＭｏＳ２及びＦｅ２Ｏ３が挙げられる。この金属層は、アルミニウムを含んでいることが特に好ましい。
【００６２】
第２部分Ｐ２は、第１層２０１の他の一部と向き合っている。第２部分Ｐ２は、第１部分Ｐ１と、面内方向に隣り合っている。図２及び図３には、一例として、第２部分Ｐ２と第１部分Ｐ１とが互いに隣接している場合を描いている。
【００６３】
第２部分Ｐ２は、第１部分Ｐ１と比較して、可視光透過率がより高い。なお、ここで「可視光透過率」とは、可視域の光に対する全光線透過率を意味している。また、この「全光線透過率」は、日本工業規格ＪＩＳ Ｋ７３６１−１に準拠した測定値である。
【００６４】
第２部分Ｐ２は、典型的には、金属層を含んでいないか、又は、第１部分Ｐ１が含んでいる金属層と比較して膜厚がより小さい金属層を含んでいる。後者の場合、第２部分Ｐ２が含んでいる金属層を構成している金属は、典型的には、第１部分Ｐ１が含んでいる金属層を構成しているものと同一である。
【００６５】
第２部分Ｐ２は、金属層の代わりに又は金属層に加えて、粒子状の金属を含んでいてもよい。この金属は、典型的には、第１部分Ｐ１が含んでいる金属層を構成しているものと同一である。
【００６６】
第３層２０３は、第１層２０１を間に挟んで第２層２０２と向き合っている。第３層２０３は、第３部分Ｐ３と第４部分Ｐ４とを備えている。
【００６７】
第３部分Ｐ３は、第１部分Ｐ１と向き合っている。第３部分Ｐ３の画像表示体２００の主面への正射影は、典型的には、第１部分Ｐ１の上記主面への正射影に一致している。なお、ここで及び以下において、各部分の正射影の「一致」とは、数学的に厳密な「一致」を意味するものではなく、各部分に基づいて表示される像の位置ズレが視認不可能である程度の「一致」を意味していることとする。
【００６８】
第３部分Ｐ３は、樹脂を含んでいる。この樹脂としては、例えば、ポリカーボネート樹脂、ポリアミド樹脂、ポリイミド樹脂、ポリアミドイミド樹脂、ポリエステル樹脂、ポリエステルカーボネート樹脂、ポリエーテル樹脂、ポリエーテルケトン樹脂、ポリアクリレート樹脂、ポリメタクリレート樹脂、ＡＢＳ（アクリロニトリル−ブタジエン−スチレン共重合体）樹脂、ポリエチレン樹脂及びポリプロピレン樹脂などのポリオレフィン樹脂、ポリスチレン樹脂、ポリビニルクロリド樹脂、ポリオキシメチレン樹脂、ポリスルホン樹脂、ポリエステルスルホン樹脂、ポリフェニレンスルフィド樹脂、シリコン樹脂、並びにゴム樹脂が挙げられる。
【００６９】
第３部分Ｐ３が含んでいる上記樹脂は、エネルギービームの照射によって可視光吸収率が増大するように構成されていてもよい。
【００７０】
例えば、この樹脂は、添加剤を含んでいてもよい。この添加剤としては、例えば、赤外線吸収剤が挙げられる。このような添加剤を含んだ樹脂を用いると、例えば、赤外線領域のエネルギービームの照射によって、添加剤の周囲における樹脂の炭化を生じさせることができる。即ち、このような構成を採用すると、エネルギービームの照射によって、可視光吸収率を増大させることが可能となる。
【００７１】
第３部分Ｐ３は、典型的には、透明である。この場合、第３部分Ｐ３は、無色且つ透明であってもよく、有色且つ透明であってもよい。
【００７２】
第４部分Ｐ４は、第３部分Ｐ３と面内方向に隣り合っている。図２及び図３には、一例として、第４部分Ｐ４と第３部分Ｐ３とが互いに隣接している場合を描いている。
【００７３】
第４部分Ｐ４は、第２部分Ｐ２と向き合っている。第４部分Ｐ４の画像表示体２００の主面への正射影は、典型的には、第２部分Ｐ２の上記主面への正射影に一致している。また、第１部分Ｐ１と第２部分Ｐ２とが隣接しており且つ第３部分Ｐ３と第４部分とが隣接している場合、第１部分Ｐ１と第２部分Ｐ２との境界の上記主面への正射影は、典型的には、第３部分Ｐ３と第４部分との境界の上記主面への正射影に一致している。
【００７４】
第４部分Ｐ４は、第３部分Ｐ３と比較して、可視光吸収率がより高い。第４部分Ｐ４の構成には、特に制限はない。例えば、第３部分Ｐ３が含んでいる樹脂がエネルギービームの照射により可視光吸収率が増大するように構成されている場合、第４部分Ｐ４は、上記樹脂にエネルギービームを照射することにより得られる物質を含んでいてもよい。
【００７５】
次に、図２及び図３に示す画像表示体２００が示す光学効果について説明する。
【００７６】
画像表示体２００において、表示部ＤＰ１は、第１部分Ｐ１と第３部分Ｐ３とを含んだ積層構造を備えている。他方、表示部ＤＰ２は、第２部分Ｐ２と第４部分Ｐ４とを含んだ積層構造を備えている。
【００７７】
第２部分Ｐ２は、第１部分Ｐ１と比較して、可視光透過率がより高い。加えて、第４部分Ｐ４は、第３部分Ｐ３と比較して、可視光吸収率がより高い。それゆえ、第２部分Ｐ２と第４部分Ｐ４との組み合わせは、第１層２０１に起因した構造色の視認性を相対的に向上させる機能を有しており、第１部分Ｐ１と第３部分Ｐ３との組み合わせは、第１層２０１に起因した構造色の視認性を相対的に低下させる機能を有している。
【００７８】
したがって、上述した構成を採用すると、表示部ＤＰ２が表示する構造色の視認性を、大幅に向上させることができる。即ち、こうすると、表示部ＤＰ１と表示部ＤＰ２との対比により表示される画像のコントラストを、大幅に向上させることができる。
【００７９】
また、表示部ＤＰ１と表示部ＤＰ２とは、図２及び図３に示す画像表示体２００を背面側から観察した場合にも、互いに異なった光学効果を呈する。したがって、図２及び図３に示す画像表示体２００は、背面側から観察した場合にも、表示部ＤＰ１と表示部ＤＰ２との対比による画像を表示する。それゆえ、画像表示体２００が表示する画像を改竄することは、比較的困難である。
【００８０】
上述した通り、第２部分Ｐ２は、金属層の代わりに又は金属層に加えて、粒子状の金属を含んでいてもよい。この場合、第２部分Ｐ２の材料としては、例えば、アルミペースト、カルボニル鉄粉、及びOVI（optical variable ink）が挙げられる。
【００８１】
また、第３部分Ｐ３は、典型的には、透明である。この場合、図２及び図３に示す画像表示体２００を背面側から観察すると、表示部ＤＰ１において、第１層２０１に起因した光学効果を視認することができる。よって、この場合、背面側から観察した場合でも、第１部分Ｐ１に起因した構造色を観察者に視認させることができる。したがって、この場合、画像表示体２００が表示する画像を改竄することは更に困難である。
【００８２】
そして、第４部分Ｐ４の画像表示体２００の主面への正射影は、典型的には、第２部分Ｐ２の上記主面への正射影に一致させる。こうすると、第２部分Ｐ２に基づいて表示される像と第４部分Ｐ４に基づいて表示される像との位置ズレが小さくなり、画像表示体２００が表示する画像の画質を更に向上させることができる。
【００８３】
以上において説明したように、第１部分Ｐ１は、第１層２０１に起因した光学効果の視認性を低下させる機能を有している。それゆえ、上では第１部分Ｐ１が金属層のみからなる鏡面を構成している場合について説明したが、第１部分Ｐ１の構成は、これには限られない。例えば、第１部分Ｐ１は、光反射性の代わりに又は光反射性に加えて、光回折性、光散乱性、及び光吸収性の少なくとも１つを有していてもよい。
【００８４】
図４は、一変形例に係る画像表示体を概略的に示す断面図である。図４に示す画像表示体２００は、第２層２０２の構成が異なっていることを除いては、図２及び図３を参照しながら説明した画像表示体と同様の構成を有している。
【００８５】
図４に示す画像表示体２００では、第１部分Ｐ１は、樹脂層２０２ａと金属層２０２ｂとを含んでいる。樹脂層２０２ａの一方の主面には、白色光の照射により回折光を射出可能な凹凸構造が設けられている。金属層２０２ｂは、樹脂層２０２ａの上記凹凸構造が設けられた主面を被覆している。この金属層２０２ｂとしては、例えば、先に図２及び図３を参照しながら説明した構成を採用することができる。
【００８６】
この第１部分Ｐ１は、上記の凹凸構造に起因した構造色を呈する。したがって、このような構成を採用すると、画像表示体２００に、より複雑な画像を表示させることが可能となる。それゆえ、こうすると、画像表示体２００が表示する画像の改竄が更に困難となる。
【００８７】
なお、この画像表示体２００では、第２部分Ｐ２は、上記の凹凸構造を有していてもよく、上記の凹凸構造を有していなくてもよい。前者の場合、第２部分Ｐ２は、典型的には、金属層を含んでいないか又は第１部分Ｐ１を構成している金属層２０２ｂと比較して膜厚がより小さい金属層を含んでいる。また、この場合、第２部分Ｐ２は、典型的には、粒子状の金属を含んでいる。
【００８８】
図５は、他の変形例に係る画像表示体を概略的に示す断面図である。図５に示す画像表示体２００は、第１層２０１と第２層２０２との積層順が逆転していることを除いては、図２及び図３を参照しながら説明した画像表示体と同様の構成を有している。
【００８９】
図５に示す画像表示体２００では、第３層２０３は、第２層２０２を間に挟んで、第１層２０１と向き合っている。即ち、この画像表示体２００では、第２層２０２は、第１層２０１の背面側に位置している。
【００９０】
第１部分Ｐ１は、第１層２０１に起因した光学効果の視認性を低下させる機能を有している。この第１部分Ｐ１は、典型的には、光反射性、光回折性、及び光散乱性の少なくとも１つを有している。第１部分Ｐ１は、例えば、先に図２及び図３を参照しながら説明したのと同様の鏡面を構成している。或いは、第１部分Ｐ１は、先に図４を参照しながら説明したのと同様の回折構造を含んでいてもよい。或いは、第１部分Ｐ１は、白色光を照射したときに散乱光を射出可能な構成を有していてもよい。
【００９１】
図５に示す画像表示体２００では、図２及び図３を参照しながら説明した画像表示体と同様に、第２部分Ｐ２と第４部分Ｐ４との組み合わせは、第１層２０１に起因した構造色の視認性を相対的に向上させる機能を有している。また、第１部分Ｐ１と第３部分Ｐ３との組み合わせは、第１層２０１に起因した構造色の視認性を相対的に低下させる機能を有している。したがって、図５に示す構成を採用した場合であっても、表示部ＤＰ２が表示する構造色の視認性を、大幅に向上させることができる。即ち、この場合にも、表示部ＤＰ１と表示部ＤＰ２との対比により表示される画像のコントラストを、大幅に向上させることができる。
【００９２】
図６は、他の変形例に係る画像表示体を概略的に示す断面図である。図６に示す画像表示体２００は、第３部分Ｐ３及び第４部分Ｐ４が多層構造を有していることを除いては、図２及び図３に示す画像表示体と同様の構成を有している。
【００９３】
第３部分Ｐ３は、第１樹脂層２０３Ａと第２樹脂層２０３Ｂと第３樹脂層２０３Ｃとがこの順に積層した積層構造を含んでいる。
【００９４】
第２樹脂層２０３Ｂは、典型的には、エネルギービームの照射によって可視光吸収率が増大するように構成された樹脂を含んでいる。このような樹脂としては、例えば、先に図２及び図３を参照しながら説明したものを挙げることができる。
【００９５】
第１樹脂層２０３Ａは、第１部分Ｐ１と第２樹脂層２０３Ｂとの間に介在している。第１樹脂層２０３Ａが含んでいる樹脂は、典型的には、上記のエネルギービームの波長に対して透明である。即ち、この樹脂は、典型的には、上記エネルギービームを照射しても、可視光吸収率が実質的に増大しない樹脂である。
【００９６】
第３樹脂層２０３Ｃは、第２樹脂層２０３Ｂを間に挟んで第１樹脂層２０３Ａと向き合っている。第３樹脂層２０３Ｃが含んでいる樹脂は、典型的には、上記のエネルギービームの波長に対して透明である。即ち、この樹脂は、典型的には、上記エネルギービームを照射しても、可視光吸収率が実質的に増大しない樹脂である。第３樹脂層２０３Ｃは、典型的には、第１樹脂層２０３Ａと同様の構成を有している。
【００９７】
これら樹脂層２０３Ａ乃至２０３Ｃの各々が含んでいる樹脂は、添加剤の有無を除いては、互いに同一の種類の樹脂であることが好ましい。このような構成としては、例えば、樹脂層２０３Ａ及び２０３Ｃがポリカーボネート樹脂を含み、且つ第２樹脂層２０３Ｂが添加剤を含有したポリカーボネート樹脂を含んでいる態様が挙げられる。このような構成を採用すると、第１樹脂層２０３Ａと第２樹脂層２０３Ｂとの間、及び、第２樹脂層２０３Ｂと第３樹脂層２０３Ｃとの間における剥離が生じ難くなり、画像表示体２００の耐久性が更に向上する。
【００９８】
第４部分Ｐ４は、第４樹脂層２０３Ａ’と第５樹脂層２０３Ｂ’と第６樹脂層２０３Ｃ’とがこの順に積層した積層構造を含んでいる。
【００９９】
第５樹脂層２０３Ｂ’は、第２樹脂層２０３Ｂと隣り合っている。第５樹脂層２０３Ｂ’は、典型的には、第２樹脂層２０３Ｂが含んでいる樹脂にエネルギービームを照射することにより得られる物質を含んでいる。即ち、第５樹脂層２０３Ｂ’は、典型的には、第２樹脂層２０３Ｂと比較して、可視光吸収率がより高い。
【０１００】
樹脂層２０３Ａ’及び２０３Ｃ’は、それぞれ、樹脂層２０３Ａ及び２０３Ｃと隣り合っている。樹脂層２０３Ａ’及び２０３Ｃ’は、典型的には、それぞれ、樹脂層２０３Ａ及び２０３Ｃと同一の構成を有している。即ち、樹脂層２０３Ａ’及び２０３Ｃ’は、典型的には、それぞれ、樹脂層２０３Ａ及び２０３Ｃと同一の可視光吸収率を有している。
【０１０１】
このような構成を採用した場合、例えば、第４部分Ｐ４が第５樹脂層２０３Ｂ’のみからなる場合と比較して、第４部分Ｐ４に記録された情報を改竄することがより困難となる。即ち、このような構成を採用すると、第４部分Ｐ４に基づいて表示される像の改竄を、更に困難とすることができる。
【０１０２】
図２乃至図６では、画像表示体２００が第１層２０１、第２層２０２、及び第３層２０３のみからなる場合について説明したが、画像表示体２００は、これら以外の追加の層を更に含んでいてもよい。例えば、図２及び図３を参照しながら説明した画像表示体２００は、第１層２０１と第３層２０３との間に、印刷層を更に含んでいてもよい。或いは、この画像表示体２００は、第２層２０２を間に挟んで第１層２０１と向き合った保護層を更に含んでいてもよい。
【０１０３】
なお、以上において説明した種々の変形例は、その２つ以上を互いに組み合わせて採用してもよい。
【０１０４】
続いて、画像表示体２００の製造方法の一例について説明する。画像表示体２００は、例えば、以下に説明するブランク媒体を用いて製造することができる。  
図７は、本発明の一態様に係る画像表示体の製造に利用可能なブランク媒体の一例を概略的に示す断面図である。
【０１０５】
図７に示すブランク媒体３００は、光学効果層３０１と、第１記録層３０２と、第２記録層３０３とを備えている。
【０１０６】
光学効果層３０１は、金属層を実質的に含んでおらず且つ構造色を呈する層である。この光学効果層３０１としては、例えば、先に第１層２０１について説明したのと同様の構成を採用することができる。
【０１０７】
第１記録層３０２は、光学効果層３０１と少なくとも部分的に向き合っている。また、第１記録層３０２は、金属層を含んでいる。この第１記録層３０２としては、例えば、先に第１部分Ｐ１について説明したのと同様の構成を採用することができる。
【０１０８】
第２記録層３０３は、光学効果層３０１を間に挟んで、第１記録層３０２と少なくとも部分的に向き合っている。この第２記録層３０３は、エネルギービームの照射によって可視光吸収率が増大するように構成されている。この第２記録層３０３としては、例えば、先に第３部分Ｐ３について説明したのと同様の構成を採用することができる。
【０１０９】
このブランク媒体３００は、上述した通り、画像表示体２００の製造に用いられる。  
図８は、本発明の一態様に係る画像表示体の製造方法の一例を概略的に示す断面図である。
【０１１０】
図８は、図７に示すブランク媒体３００のうち第１記録層３０２と第２記録層３０３とが向き合った積層部分の一部に、エネルギービームＥＢを照射している様子を示している。この積層部分にエネルギービームＥＢを照射すると、以下のような変化が生じる。
【０１１１】
まず、第１記録層３０２のうちエネルギービームＥＢが照射された位置では、第１記録層３０２が含んでいる金属層が破壊される。これにより、第１記録層３０２の当該位置において、可視光透過率が増大する。即ち、これにより、先に説明した第２部分Ｐ２を形成することができる。なお、第１記録層３０２のうちエネルギービームＥＢが照射されていない部分は、先に説明した第１部分Ｐ１に対応している。
【０１１２】
このようにして形成された第２部分Ｐ２は、金属層を含んでいないか、又は、第１部分Ｐ１が含んでいる金属層と比較して膜厚がより小さい金属層を含んでいる。
【０１１３】
また、本発明者らは、このようにして形成された第２部分Ｐ２は、典型的には、粒子状の金属を含んでいることを見出している。本発明者らは、これら粒子状の金属は、エネルギービームＥＢの照射による金属層の破壊に起因して、金属層を構成していた金属が互いに凝集することにより形成されたものであると推測している。
【０１１４】
次に、第２記録層３０３のうちエネルギービームＥＢが照射された位置では、可視光吸収率が増大する。これにより、先に説明した第４部分Ｐ４を形成することができる。なお、第２記録層３０３のうちエネルギービームＥＢが照射されていない部分は、先に説明した第３部分Ｐ３に対応している。
【０１１５】
なお、上述した通り、光学効果層３０１は、金属層を実質的に含んでいない。したがって、光学効果層３０１は、エネルギービームＥＢが照射されても、実質的な構成の変化を生じない。即ち、光学効果層３０１のうちエネルギービームＥＢが照射された部分は、エネルギービームＥＢが照射される前と同様に、構造色を呈する。
【０１１６】
このように、ブランク媒体３００へのエネルギービームＥＢの照射により、画像表示体２００を製造することができる。この方法によると、オンデマンドで、所望の画像を記録することができる。そのため、この方法は、個人情報などの個別情報を記録する場合に特に有用である。
【０１１７】
また、この方法によると、第１記録層３０２に記録した画像と第２記録層３０３に記録した画像との位置合わせが比較的容易である。即ち、この方法によると、第４部分Ｐ４の画像表示体２００の主面への正射影と、第２部分Ｐ２の上記主面への正射影とを一致させることが、比較的容易である。それゆえ、この方法によると、画像表示体２００が表示する画像の画質を更に向上させることができる。
【０１１８】
第１記録層３０２へのエネルギービームＥＢの照射と、第２記録層３０３へのエネルギービームＥＢの照射とは、同時に行ってもよく、段階的に行ってもよい。但し、前者の場合、後者の場合と比較して、第１記録層３０２に記録した画像と第２記録層３０３に記録した画像との位置ズレを更に生じ難くすることができる。即ち、前者の場合、後者の場合と比較して、画像表示体２００が表示する画像の画質を更に向上させることができる。
【０１１９】
エネルギービームＥＢとしては、通常、レーザビームを用いる。このレーザビームの照射源としては、例えば、Ｎｄ：ＹＡＧレーザを用いる。或いは、レーザビームの照射源として、Ｎｄ：ＹＶＯ４レーザを使用してもよい。
【０１２０】
なお、ブランク媒体３００は、第１記録層３０２及び第２記録層３０３以外に、１つ以上の追加の層を更に備えていてもよい。但し、これらの追加の層は、エネルギービームＥＢの波長に対して透明であることが好ましい。こうすると、第１記録層３０２及び第２記録層３０３への画像の記録を、より効率的に行うことが可能となる。
【０１２１】
以上において説明した画像表示体２００は、典型的には、情報媒体１００の一部として用いる。この場合、画像表示体２００の第３層２０３は、情報媒体１００を構成している基材と共通であってもよい。或いは、画像表示体２００は、情報媒体１００を構成している基材上に、接着層などを介して貼り付けられていてもよい。
【０１２２】
上では、パスポートとしての情報媒体１００を例示したが、情報媒体１００について上述した技術は、他の情報媒体に適用することも可能である。例えば、この技術は、査証カード、ＩＤカード及びゲームカードなどの各種カードに適用することも可能である。或いは、この技術は、住民基本台帳などの他の個人認証媒体に適用してもよい。
【０１２３】
図９は、本発明の他の態様に係る情報媒体を概略的に示す平面図である。図９に示す情報媒体４００は、ＩＤカードであり、上で説明した画像表示体２００に基づいた画像Ｉ１ｂを含んでいる。よって、この情報媒体４００は、改竄が困難である。
【０１２４】
また、上では、情報媒体としてパスポート及びＩＤカードなどの個人認証媒体を例示したが、情報媒体１００及び４００について上述した技術は、個人認証媒体以外の情報媒体に適用することも可能である。即ち、上述した技術は、個人認証以外の目的で利用してもよい。
【０１２５】
図１０は、本発明の他の態様に係る情報媒体を概略的に示す斜視図である。図１０に示す情報媒体５００は、プリンタの部品及び自動車の部品などの物品であり、上で説明した画像表示体２００に基づいた画像Ｉ１ｂを含んでいる。この画像Ｉ１ｂは、例えば、当該物品を流通させるべき国及び地域の情報を個別に表示する。これにより、例えば、当該物品の不正流通を追跡することが可能となる。
【実施例】
【０１２６】
図６を参照しながら説明した画像表示体２００を、以下のようにして製造した。  
まず、画像表示体２００の製造に用いるブランク媒体３００を製造した。はじめに、ポリカーボネートからなるＡ層の一方の主面上に、光学効果層３０１として、光路差干渉による特定波長の多重増反射を利用した数百層の多層積層構造フィルムを形成した。Ａ層の厚みは１００μｍとし、光学効果層３０１の厚みは２０μｍとした。
【０１２７】
次いで、光学効果層３０１の上に、アルミニウムからなる第１記録層３０２を、蒸着法により形成した。この第１記録層３０２の厚みは、５０ｎｍとした。
【０１２８】
次いで、上述のようにして得られた積層体と、エネルギービームの照射によって可視光吸収率が増大するように構成されたポリカーボネートからなるＢ層（Bayer社製；Makrofol ID 6-2 750061；厚さ100μm）と、ポリカーボネートからなるＣ層とを、Ａ層とＢ層とが向き合うようにして固定し、この状態で、熱融着させた。このようにして、Ａ層、Ｂ層及びＣ層の積層体からなる第２記録層３０３を形成した。なお、Ｂ層及びＣ層の厚みは、それぞれ、１００μｍとした。即ち、第２記録層３０３の厚みは、３００μｍとした。
【０１２９】
以上のようにして、画像表示体２００の製造に用いるブランク媒体３００を準備した。
【０１３０】
続いて、ブランク媒体３００への顔画像の記録を行った。この記録は、ＫＥＹＥＮＣＥ ＭＤ−Ｖ ＹＶＯ４ ＬＡＳＥＲ ＭＡＲＫＥＲ ＭＤ−Ｖ ９６００Ａ ｓｅｒｉｅｓを用いて行った。
【０１３１】
まず、ブランク媒体３００の一部に、上記レーザを、レーザ出力４０％、スキャンスピード１８００ｍｍ／ｓ、Ｑスイッチ周波数１００ｋＨｚで照射した。これにより、第１記録層３０２の一部を破壊した。
【０１３２】
次いで、ブランク媒体３００のうち第１記録層３０２が破壊された部分に、上記レーザを、レーザ出力５０％、スキャンスピード９００ｍｍ／ｓ、Ｑスイッチ周波数９０ｋＨｚで照射した。これにより、第２記録層３０３の一部を破壊した。
【０１３３】
このようにして、ブランク媒体３００に、顔画像を記録した。これにより、図６を参照しながら説明した画像表示体２００を製造した。
【０１３４】
この画像表示体２００を前面側から観察すると、上記の顔画像が、明瞭に視認できた。即ち、この顔画像は、視認性が高く且つ画質が優れていた。加えて、この画像表示体２００のうち表示部ＤＰ２に対応した部分は、観察角度の変化に応じて、異なった色の像を表示した。
【０１３５】
また、この画像表示体２００を背面側から観察した場合にも、上記の顔画像を、明瞭に視認することができた。また、この画像表示体２００のうち表示部ＤＰ１に対応した部分は、背面側から観察すると、観察角度の変化に応じて、異なった色の像を表示した。
【符号の説明】
【０１３６】
１…折り丁、２…表紙、１１…紙片、１２…印刷パターン、１００…情報媒体、２００…画像表示体、２０１…第１層、２０２…第２層、２０２ａ…樹脂層、２０２ｂ…金属層、２０３…第３層、２０３Ａ…第１樹脂層、２０３Ｂ…第２樹脂層、２０３Ｃ…第３樹脂層、２０３Ａ’…第４樹脂層、２０３Ｂ’…第５樹脂層、２０３Ｃ’…第６樹脂層、３００…ブランク媒体、３０１…光学効果層、３０２…第１記録層、３０３…第２記録層、４００…情報媒体、５００…情報媒体、ＤＰ１…表示部、ＤＰ２…表示部、ＥＢ…エネルギービーム、Ｉ１ａ…画像、Ｉ１ｂ…画像、Ｉ２…画像、Ｉ３…画像、Ｐ１…第１部分、Ｐ２…第２部分、Ｐ３…第３部分、Ｐ４…第４部分。
【図１】
0005569235.tif 000002
【図２】
0005569235.tif 000003
【図３】
0005569235.tif 000004
【図４】
0005569235.tif 000005
【図５】
0005569235.tif 000006
【図６】
0005569235.tif 000007
【図７】
0005569235.tif 000008
【図８】
0005569235.tif 000009
【図９】
0005569235.tif 000010
【図１０】
0005569235.tif 000011